(57)【要約】【課題】ひげ剃り用剃刀、特に剃刀のための保護カバーを提供する。【解決手段】ひげ剃り用剃刀（４０）の保護カバー（１０）。ひげ剃り用剃刀は、ハンドル（４２）に取外し可能に結合された剃刀カートリッジ（５０）を含む。剃刀カートリッジは、各々が刃先（５４）を有する１つ又はそれよりも多くの剃刀ブレード（５２）を含む。シェービングエイド本体も、ハンドルに取外し可能に結合させることができる。剃刀カートリッジとシェービングエイド本体は、個々に又はユニットとして取外し可能にすることができる。ハンドルは、ユーザが操作した時に剃刀カートリッジとシェービングエイド本体を取り外す１つ又はそれよりも多くのユーザ操作可能ボタン（４４）を有する。保護カバーは、ブレードの刃先とシェービングエイド本体の上面とを覆ってこれらの要素を偶発的な損傷から保護する上壁（１２）を有する。保護カバーは、ユーザ操作可能ボタンを覆って保護カバーがひげ剃り用剃刀に結合された時にこれらがユーザによって操作されるのを防止する側壁（１４）を有する。【選択図】図１
2008539027.tif 000002
【特許請求の範囲】
【請求項１】
剃刀のための保護カバーであって、
上壁及び側壁、
を含み、
ハンドルと、該ハンドルに取外し可能に結合され、かつ各々が刃先を有する１つ又はそれよりも多くの剃刀ブレードを含む剃刀カートリッジとを含むひげ剃り用剃刀に取外し可能に結合され、
前記ハンドルは、ユーザによって操作された時に該ハンドルから前記剃刀カートリッジを取り外す第１の組の１つ又はそれよりも多くのユーザ操作可能ボタンを有し、
保護カバーの前記上壁は、前記剃刀ブレードの前記刃先の上に実質的に重なり、かつ
保護カバーの前記側壁は、前記ユーザ操作可能ボタンの少なくとも１つの上に重なって、保護カバーが前記ひげ剃り用剃刀に結合された時にユーザによる該ボタンの操作を防止し、
前記ひげ剃り用剃刀は、保護カバーの前記上壁が実質的に上に重なる上面を有する、前記ハンドルに取外し可能に結合されたシェービングエイド本体を更に含む、
ことを特徴とする保護カバー。
【請求項２】
前記剃刀カートリッジ及びシェービングエイド本体は、単一ユニットとして前記ハンドルに取外し可能に結合されることを特徴とする請求項１に記載の保護カバー。
【請求項３】
保護カバーの前記側壁は、単一の向きだけで前記ひげ剃り用剃刀に取外し可能に結合可能である形状にされることを特徴とする請求項２に記載の保護カバー。
【請求項４】
１つ又はそれよりも多くの排水ポートを有することを特徴とする請求項３に記載の保護カバー。
【請求項５】
前記上壁は、内面を有し、前記側壁も、内面を有し、該上壁及び該側壁の該内面は、空洞を形成するように隣接しており、
前記側壁の前記内面の少なくとも一部に沿って延び、保護カバーが前記ひげ剃り用剃刀に結合された時に前記ハンドルに当接して前記上壁を前記シェービングエイド本体の前記上面と前記剃刀ブレードの前記刃先から離間させる端面を有する１つ又はそれよりも多くのリブ、
を更に含むことを特徴とする請求項４に記載の保護カバー。
【請求項６】
成形熱可塑性物質であることを特徴とする請求項５に記載の保護カバー。
【請求項７】
１つ又はそれよりも多くのスナップ装着によって前記ひげ剃り用剃刀に取外し可能に結合されることを特徴とする請求項６に記載の保護カバー。
【請求項８】
圧入によって前記ひげ剃り用剃刀に取外し可能に結合されることを特徴とする請求項６に記載の保護カバー。
【請求項９】
前記第１の組の１つ又はそれよりも多くのユーザ操作可能ボタンは、前記剃刀カートリッジ及びシェービングエイド本体を単一ユニットとして取り外すために一斉に作動すべきであることを特徴とする請求項２に記載の保護カバー。
【請求項１０】
保護カバーの前記側壁は、単一の向きだけで前記ひげ剃り用剃刀に取外し可能に結合可能である形状にされることを特徴とする請求項１に記載の保護カバー。
【請求項１１】
１つ又はそれよりも多くの排水ポートを有することを特徴とする請求項１０に記載の保護カバー。
【請求項１２】
前記上壁は、内面を有し、前記側壁も、内面を有し、該上壁及び該側壁の該内面は、空洞を形成するように隣接しており、
前記側壁の前記内面の少なくとも一部に沿って延び、保護カバーが前記ひげ剃り用剃刀に結合された時に前記ハンドルに当接して前記上壁を前記シェービングエイド本体の前記上面と前記剃刀ブレードの前記刃先から離間させる端面を有する１つ又はそれよりも多くのリブ、
を更に含むことを特徴とする請求項１１に記載の保護カバー。
【請求項１３】
成形熱可塑性物質であることを特徴とする請求項１２に記載の保護カバー。
【請求項１４】
１つ又はそれよりも多くのスナップ装着によって前記ひげ剃り用剃刀に取外し可能に結合されることを特徴とする請求項１３に記載の保護カバー。
【請求項１５】
圧入によって前記ひげ剃り用剃刀に取外し可能に結合されることを特徴とする請求項１４に記載の保護カバー。
【請求項１６】
前記第１の組の１つ又はそれよりも多くのユーザ操作可能ボタンは、前記剃刀カートリッジを取り外すために一斉に作動すべきであることを特徴とする請求項１４に記載の保護カバー。
【請求項１７】
前記ハンドルは、ユーザによって操作された時に前記シェービングエイド本体を前記ハンドルから取り外す第２の組の１つ又はそれよりも多くのユーザ操作可能ボタンを更に含むことを特徴とする請求項１に記載の保護カバー。
【請求項１８】
前記第２の組の１つ又はそれよりも多くのユーザ操作可能ボタンは、前記シェービングエイド本体を取り外すために一斉に作動すべきであることを特徴とする請求項１７に記載の保護カバー。
【発明の詳細な説明】
【技術分野】
【０００１】
本発明は、一般的にひげ剃り用剃刀、より具体的には剃刀のための保護カバーに関する。
【背景技術】
【０００２】
現代のひげ剃り用剃刀は、ハンドルに結合されたハウジング内に配置された１つ又はそれよりも多くのブレードを含む。ハウジングと１つ又は複数のブレードは、剃刀カートリッジと呼ばれる。一部のハンドルは再使用可能であり、剃刀カートリッジは、それに取外し可能に結合され、使用後に捨てられるように意図されている。この形式の更に別のひげ剃り用剃刀には、公開された米国特許出願出願番号第１０／３６７２５５号に開示するように、摩滅可能シェービングエイド本体が更に設けられ、これは、再使用可能なハンドルに取外し可能に更に結合され、剃刀カートリッジに隣接して位置決めすることができる。このシェービングエイド本体はまた、使用時に摩滅可能であるから、消耗した後に捨てられるように意図されている。ユーザが、使用した剃刀カートリッジとシェービングエイド本体を取り外して一方又は両方を取り替えることを可能にするために、再使用可能ハンドルには通常１つ又はそれよりも多くのユーザ操作可能ボタンが設けられる。これらのボタンは、通常は、剃刀カートリッジ及びシェービングエイド本体のハンドルに対する結合と取外しを容易にする、再使用可能ハンドルに内部的に位置決めされた機構に連結される。新しい剃刀カートリッジとシェービングエイド本体の再結合は、両方の構成要素が正しい順序及び正しい配向で再結合され、更に、再使用可能ハンドルに両方を取り付けるための要素が同時にかつ正しくハンドルに整列されるべきであるから、多少複雑な作業である。この作業は、製造業者が分配容器内に正しく配向されて整列した剃刀カートリッジとシェービングエイド本体を提供することにより、ユーザに対しては容易になる。ユーザは、単に、再使用可能ハンドルを分配容器の口に整列させて、再使用可能ハンドルを新しい剃刀カートリッジとシェービングエイド本体の露出面に接触させるだけである。新しい剃刀カートリッジとシェービングエイド本体は、再使用可能ハンドルに結合され、ユーザは、分配容器から両方を一斉に引き出すことになる。
【０００３】
現在のところ、この種のひげ剃り用剃刀の最新技術は、製造業者が、ハンドルに取外し可能に結合された保護カバーを更に提供することである。保護カバーは、例えば剃刀が落下又は異物と接触した場合の偶発的な損傷から剃刀カートリッジと、もし設けられていれば、シェービングエイド本体とを保護する。保護カバーはまた、旅行時に剃刀カートリッジとシェービングエイド本体を保護することができる。保護カバーは、通常、圧入又は取外し可能スナップ装着によってハンドルに結合される。
【０００４】
先に説明して例えば米国意匠特許番号Ｄ４９５８２９（Ｄｏｍｂｒｏｗｓｋｉ他に付与）に開示されたように、新しいユーザにひげ剃り用剃刀が呈示された時に、ユーザは、保護カバーが取外し可能な剃刀カートリッジと、もし設けられていれば、シェービングエイド本体とを囲むので、露出した１つ又は複数のボタンと保護カバーの外側シェルとを備えたハンドルを見ることになる。ユーザがひげ剃りのためにひげ剃り用剃刀を使用するためには、ユーザの最初の仕事は、保護カバーを確実に取り外すことである。新しいユーザがこの種の剃刀に慣れていない場合、ユーザの最初の傾向は、ボタンが保護カバーを取外すことになると信じてボタンを操作することであろう。不幸にも、この行為は、保護カバーの範囲内で剃刀カートリッジとシェービングエイド本体をハンドルから取外すことになるだけである。剃刀カートリッジとシェービングエイド本体がそれらの分配容器内にはないので、これらをハンドルに正しく再結合するのは、多少複雑な作業である。
【０００５】
従来技術では、米国意匠特許番号Ｄ４０９７９７（Ｂｏｎｅに付与）は、カバーを有する電気剃刀を開示している。カバーは、ブラシを収納する単一の耳を含む。カバーが剃刀に結合された時に、カバーの耳は、剃刀のオン／オフスイッチの上に重なり、カバーが剃刀に結合された時にユーザが剃刀をオンにするのを防止するであろう。剃刀には、明らかに互換的な要素、特に、このボタンによって取り外されると考えられ、かつ次に再結合するのが複雑であると考えられる剃刀カートリッジ及びシェービングエイド本体が結合されていない。
【０００６】
更に別の従来技術では、日本特許第５３−３６３５９号（Ｋａｗａｓａｋｉ他に付与）は、カバーとその図３の８で示された滑り留め具を有する別の電気剃刀を開示している。作動時に、留め具は、カバーのフック（その図１の３で示された）の上を滑ることができる。この位置まで滑った留め具により、留め具は、カバーを剃刀に固定し、更にインターロックとして作用し、オン／オフスイッチがユーザによって操作されるのを防止することになる。ここでもまた、剃刀には、明らかに互換的な要素、特に、このボタンによって取り外されると考えられ、かつ次に再結合するのが複雑であると考えられる剃刀カートリッジ及びシェービングエイド本体が結合されていない。更に、留め具は、剃刀に結合されたカバーとは無関係にインターロック位置まで滑ることができる。フック付きのカバーは、インターロック機能では何の役目も果たさない。
従って、ハンドルの取外しボタンを覆うか又はそうでなければインターロックし、保護カバーがハンドルに結合された時に剃刀カートリッジを取り外すユーザによる取外しボタンの操作を防止する、剃刀のための保護カバーを提供する必要性が当業技術に存在する。
【０００７】
【特許文献１】米国特許出願出願番号第１０／３６７２５５号
【特許文献２】米国意匠特許番号Ｄ４９５８２９
【特許文献３】米国意匠特許番号Ｄ４０９７９７
【特許文献４】日本特許第５３−３６３５９号
【発明の開示】
【０００８】
本発明の保護カバーは、上壁と側壁を含む。保護カバーは、ハンドルと剃刀カートリッジとを含むひげ剃り用剃刀に取外し可能に結合される。剃刀カートリッジは、ハンドルに取外し可能に結合される。剃刀カートリッジは、各々が刃先を有する１つ又はそれよりも多くの剃刀ブレードを含む。ハンドルは、ユーザによって操作された時にハンドルから剃刀カートリッジを取り外す１つ又はそれよりも多くのユーザ操作可能ボタンを有する。保護カバーがひげ剃り用剃刀に結合された時に、保護カバーの上壁は、実質的に剃刀ブレードの刃先の上に重なって刃先を偶発的な損傷から保護する。更に、保護カバーがひげ剃り用剃刀に結合された時に、保護カバーの側壁は、ユーザ操作可能ボタンの少なくとも１つの上に重なり、ユーザによるボタンの操作を妨げる。
【０００９】
本発明の更に別の態様では、ひげ剃り用剃刀は、摩滅可能シェービングエイド本体を更に含む。シェービングエイド本体は、好ましくは、剃刀カートリッジに結合され、シェービングエイド本体と剃刀カートリッジは、単一ユニットとしてハンドルから取外し可能である。シェービングエイド本体は、上面を有し、保護カバーの上壁は、剃刀ブレードの刃先とシェービングエイド本体の上面との上に実質的に重なり、いずれか又は両方を偶発的な損傷から保護する。更に、保護カバーがひげ剃り用剃刀に結合された時に、保護カバーの側壁は、ユーザ操作可能ボタンの少なくとも１つの上に重なり、ユーザによるボタンの操作を妨げる。
【００１０】
本発明の更に別の態様では、保護カバーの側壁は、保護カバーがひげ剃り用剃刀に１つの向きだけで結合することができるような形状にされる。
本発明の更に別の態様では、保護カバーの側壁及び上壁は、空洞を形成するように隣接した内面を有する。側壁の内面は、各々が端面を有する１つ又はそれよりも多くのリブを有する。端面は、保護カバーがハンドルに結合した時にハンドルに当接し、上壁をシェービングエイド本体の上面及び剃刀ブレードの刃先から離間させる。
【００１１】
本発明の更に別の態様では、保護カバーには、１つ又はそれよりも多くの排水ポートが設けられる。排水ポートは、ひげ剃り用剃刀が逆さまに吊り下げられた時又は水平面上に載っている時に、保護カバー内に溜まった液体を排水させる。
本発明の更に別の態様では、保護カバーは、スナップ装着又は圧入によってひげ剃り用剃刀に結合される。
本発明の更に別の態様では、保護カバーは、成形熱可塑性物質である。
本発明の更に別の態様では、ハンドルの取外しボタンは、剃刀カートリッジを取り外すために一斉に作動すべきである。
本発明の上述の特徴及び利点は、添付図面を併せて考慮し、以下の詳細説明を参照することでより完全に理解されるであろう。
【発明を実施するための最良の形態】
【００１２】
図面、特に図６−９を参照すると、ひげ剃り用剃刀の保護カバー１０が示されている。保護カバーは、上壁１２と側壁１４を含む。上壁１２は、内面２０を有し、側壁１４は、内面２２を有し、それらの内面は、隣接していて空洞１６を形成する。保護カバーは、好ましくは、射出成形熱可塑性物質であり、より好ましくは、汎用熱可塑性物質であり、より一層好ましくは、ポリプロピレンである。適切なポリプロピレンは、Ｂｅｓｓｅｌによって製造されており、「Ｍｏｐｌｅｎ  ＲＰ３４４Ｒ」と呼ばれる。当業者は、本発明に対して他の材料が適切であることを認識するであろう。
【００１３】
保護カバーには、保護カバーの上壁の各縦方向端部に排水ポート２４が設けられる。保護カバーには、更に、保護カバーの前部に排水ポート２５と保護カバーの後部に排水ポート２６が設けられる。排水ポートは、好ましくは、保護カバーがひげ剃り用剃刀に結合され、保護カバーを含むひげ剃り用剃刀が逆さまに吊り下げられた時又は水平面上に安定な静止した向きで水平に置かれた時に、保護カバー内に溜まった全ての液体を排水させるように位置決めされている。
【００１４】
特に図６を参照すると、保護カバーは、側壁の内面に沿って部分的に延びるリブ３０を有する。リブは、主当接面として作用する端面３２を有する。保護カバーはまた、２次当接面３４を有する。保護カバーは、１つ又はそれよりも多くのスナップ装着歯３６を有する。
特に図８を参照すると、保護カバーは、この図で定めることができる印刷ページに関するあらゆる水平軸線に対して非対称形であることが分る。非対称形状は、ひげ剃り用剃刀に保護カバーを１つの向きだけで結合させる。
【００１５】
図１−５を参照すると、ひげ剃り用剃刀４０に結合された保護カバーが示されている。ひげ剃り用剃刀は、ハンドル４２、剃刀カートリッジ５０、及びシェービングエイド本体６０を含む。剃刀カートリッジは、刃先５４を有する剃刀ブレード５２を含む。シェービングエイド本体は、上面６２を有する。ハンドルは、１つ又はそれよりも多くのユーザ操作可能ボタン４４を有する。ボタンの機能は、ユーザによって操作された時に剃刀カートリッジを取り外すことである。２つ又はそれよりも多くのボタンが設けられる場合には、この２つ又はそれよりも多くのボタンは、剃刀カートリッジを取り外すために一斉に作動することが好ましい。好ましい実施形態では、ボタンは、剃刀カートリッジとシェービングエイド本体を一斉に取り外す。当業者は、ボタンがこれらの要素を独立に取り外し、又は１つの要素が手動で取外し可能であり、すなわち、ボタンを使用しないで手動で取り外すことができることを理解するであろう。特に図５を参照すると、保護カバーの上部壁は、剃刀ブレードの刃先及びシェービングエイド本体の上面の上に、上壁の内面をそこから離間させて重なっている。保護カバーのスナップ装着歯は、ハンドルの合わせ形態４６に係合する。当業者は、保護カバーをひげ剃り用剃刀に結合するのに圧入などの他の方法もまた適することを理解するであろう。保護カバーの２次当接面３４は、ハンドルの表面４８に当接し、上部壁の内面を剃刀ブレードの刃先及びシェービングエイド本体の上面から離間させる。主当接面３２は、ハンドルの別の表面に同時に当接する。この状態は、図に示していないが、当業者には明白であろう。
【００１６】
特に図２、３、及び３Ａを参照すると、保護カバー１０の側壁１４は、ハンドルのボタン４４の上に部分的に重なっている。これは、保護カバーがひげ剃り用剃刀に結合された時にユーザがボタンを操作するのを防止することになる。当業者は、２つ又はそれよりも多くのボタンが設けられた場合に、側壁があらゆるボタンの上に重なる必要がないことを理解するであろう。２つ又はそれよりも多くのボタンが一斉に作動すべきである場合に、１つのボタンの機能の阻止は、全てのボタンの機能の阻止と同じ効果を有することになる。当業者は、側壁がボタンの上に完全に重なる必要がないことを更に理解するであろう。それは、ボタンの操作を防止するために必要であるに過ぎない。側壁は、ユーザの指が間隙に入ってボタンを操作するのを防止するようにボタンから離間させることができる。代替的に、側壁は、少なくともボタンの一部の上に接近して重なるか又はボタンの一部と接触し、それが機能できないようにその移動を制限することができる。
本発明は、本明細書に開示した及び／又は図面に示した特定の構成に決して制限されないだけでなく、本発明の開示の範囲内であらゆる変更又は均等物を含むことは理解されるものとする。
【図面の簡単な説明】
【００１７】
【図１】ひげ剃り用剃刀に結合された本発明の保護カバーの前部及び上部からの等角投影図である。
【図２】ひげ剃り用剃刀に結合された本発明の保護カバーの側面図である。
【図３】ひげ剃り用剃刀に結合された本発明の保護カバーの正面図である。
【図３Ａ】図４の詳細図である。
【図４】図３の線４−４に沿った断面図である。
【図５】図４の詳細図である。
【図６】本発明の保護カバーの下部からの等角投影図である。
【図７】本発明の保護カバーの正面図である。
【図８】本発明の保護カバーの下面図である。
【図９】本発明の保護カバーの側面図である。
【符号の説明】
【００１８】
１０  保護カバー
４０  ひげ剃り用剃刀
４２  ハンドル
【図１】
2008539027.tif 000003
【図２】
2008539027.tif 000004
【図３】
2008539027.tif 000005
【図３Ａ】
2008539027.tif 000006
【図４】
2008539027.tif 000007
【図５】
2008539027.tif 000008
【図６】
2008539027.tif 000009
【図７】
2008539027.tif 000010
【図８】
2008539027.tif 000011
【図９】
2008539027.tif 000012
【国際調査報告】
2008539027.tif 000013
2008539027.tif 000014